(57)【要約】ＡＰとＳＴＡとの間の無線リンクの状況に応じて、起動するアプリケーションを選択し、またアプリケーションの動作を制御する。  ＡＰと接続可能なＳＴＡにおいて、ＡＰと接続中に、接続先ＡＰの識別子を含む無線リンク情報を取得する無線リンク情報取得手段と、無線リンク情報の識別子と起動するアプリケーションとを対応付けて登録している動作決定プロファイルを参照し、無線リンク情報に応じて起動するアプリケーションを選択するアプリケーション動作制御手段とを備える。
2009128184.tif 000002
【特許請求の範囲】
【請求項１】
無線基地局装置と接続可能な無線端末装置において、
前記無線基地局装置と接続中に、接続先無線基地局の識別情報を含む無線リンク情報を取得する無線リンク情報取得手段と、
前記接続先無線基地局の識別情報と起動するアプリケーションとを対応付けて登録している動作決定プロファイルを参照し、前記接続先無線基地局の識別情報に応じて起動するアプリケーションを選択するアプリケーション動作制御手段と
を備えたことを特徴とする無線端末装置。
【請求項２】
請求項１に記載の無線端末装置において、
前記無線リンク情報取得手段は、前記接続先無線基地局の識別情報および無線リンクの通信環境を含む無線リンク情報を取得する構成であり、
前記アプリケーション動作制御手段は、前記無線リンク情報と起動するアプリケーションおよび動作とを対応付けて登録している動作決定プロファイルを参照し、前記接続先無線基地局の識別情報に応じて起動するアプリケーションを選択し、前記無線リンクの通信環境に応じてアプリケーションの動作を制御する構成である
ことを特徴とする無線端末装置。
【請求項３】
請求項１に記載の無線端末装置において、
無線ＬＡＮネットワークの無線基地局装置および携帯電話ネットワークの無線基地局装置と接続可能な構成であり、
前記無線リンク情報取得手段は、前記接続先無線基地局の識別情報と、無線ＬＡＮおよび携帯電話の各無線リンクの通信環境とを含む無線リンク情報を取得する構成であり、
前記アプリケーション動作制御手段は、前記無線リンク情報と起動するアプリケーションおよび動作とを対応付けて登録している動作決定プロファイルを参照し、前記接続先無線基地局の識別情報と無線ＬＡＮおよび携帯電話の各無線リンクの通信環境とに応じて起動するアプリケーションを選択し、無線ＬＡＮおよび携帯電話の各無線リンクの通信環境に応じてアプリケーションの動作を制御する構成である
ことを特徴とする無線端末装置。
【請求項４】
請求項２または請求項３に記載の無線端末装置において、
前記無線リンク情報取得手段は、前記無線リンクの通信環境として、受信レベル、物理伝送速度、パケットエラーレート、遅延時間、干渉量を含む無線リンクの通信品質に関する情報を取得する構成である  ことを特徴とする無線端末装置。
【請求項５】
請求項１〜請求項３のいずれかに記載の無線端末装置において、
当該装置の消費電力を抑制する省電力モードに設定し、所定のスリープ時間後に再起動する装置制御部を備え、
前記動作決定プロファイルは、前記接続先無線基地局の識別情報と対応付けで登録される前記スリープ時間を含み、
前記アプリケーション動作制御手段は、前記アプリケーションの動作終了後に、前記接続先無線基地局の識別情報に応じた前記スリープ時間を前記装置制御部に設定し、省電力モードに移行させる構成である
ことを特徴とする無線端末装置。
【請求項６】
請求項１〜請求項３のいずれかに記載の無線端末装置において、
当該装置の消費電力を抑制する省電力モードに設定し、所定のスリープ時間後に再起動する装置制御部を備え、
前記動作決定プロファイルは、前記無線基地局装置との接続が未確立であることを示す無線リンク情報に対応付けて登録される前記スリープ時間を含み、
前記アプリケーション動作制御手段は、前記無線基地局装置との接続が未確立であるときに、その接続が未確立の無線リンク情報に応じた前記スリープ時間を前記装置制御部に設定し、省電力モードに移行させる構成である
ことを特徴とする無線端末装置。
【請求項７】
無線基地局装置と接続可能な無線端末装置のアプリケーションの動作を制御する無線端末装置の制御方法において、
前記無線基地局装置と接続中に、接続先無線基地局の識別情報を含む無線リンク情報を取得する第１のステップと、
前記接続先無線基地局の識別情報と起動するアプリケーションとを対応付けて登録している動作決定プロファイルを参照し、前記接続先無線基地局の識別情報に応じて起動するアプリケーションを選択する第２のステップと
を有することを特徴とする無線端末装置の制御方法。
【請求項８】
請求項７に記載の無線端末装置の制御方法において、
前記第１のステップは、前記接続先無線基地局の識別情報および無線リンクの通信環境を含む無線リンク情報を取得する処理を行い、
前記第２のステップは、前記無線リンク情報と起動するアプリケーションおよび動作とを対応付けて登録している動作決定プロファイルを参照し、前記接続先無線基地局の識別情報に応じて起動するアプリケーションを選択し、前記無線リンクの通信環境に応じてアプリケーションの動作を制御する処理を行う
ことを特徴とする無線端末装置の制御方法。
【請求項９】
請求項７に記載の無線端末装置の制御方法において、
前記無線端末装置は、無線ＬＡＮネットワークの無線基地局装置および携帯電話ネットワークの無線基地局装置と接続可能な構成であり、
前記第１のステップは、前記接続先無線基地局の識別情報と、無線ＬＡＮおよび携帯電話の各無線リンクの通信環境とを含む無線リンク情報を取得する処理を行い、
前記第２のステップは、前記無線リンク情報と起動するアプリケーションおよび動作とを対応付けて登録している動作決定プロファイルを参照し、前記接続先無線基地局の識別情報と無線ＬＡＮおよび携帯電話の各無線リンクの通信環境とに応じて起動するアプリケーションを選択し、無線ＬＡＮおよび携帯電話の各無線リンクの通信環境に応じてアプリケーションの動作を制御する処理を行う
ことを特徴とする無線端末装置の制御方法。
【請求項１０】
請求項８または請求項９に記載の無線端末装置の制御方法において、
前記第１のステップは、前記無線リンクの通信環境として、受信レベル、物理伝送速度、パケットエラーレート、遅延時間、干渉量を含む無線リンクの通信品質に関する情報を取得する処理を行う
ことを特徴とする無線端末装置の制御方法。
【請求項１１】
請求項７〜請求項９のいずれかに記載の無線端末装置の制御方法において、
前記無線端末装置は、装置の消費電力を抑制する省電力モードに設定し、所定のスリープ時間後に再起動する処理を行う第３のステップを有し、
前記動作決定プロファイルは、前記接続先無線基地局の識別情報と対応付けで登録される前記スリープ時間を含み、
前記第２のステップは、前記アプリケーションの動作終了後に、前記接続先無線基地局の識別情報に応じた前記スリープ時間を設定し、前記第３のステップに移行する処理を行う
ことを特徴とする無線端末装置の制御方法。
【請求項１２】
請求項７〜請求項９のいずれかに記載の無線端末装置の制御方法において、
前記無線端末装置は、装置の消費電力を抑制する省電力モードに設定し、所定のスリープ時間後に再起動する処理を行う第３のステップを有し、
前記動作決定プロファイルは、前記無線基地局装置との接続が未確立であることを示す無線リンク情報に対応付けて登録される前記スリープ時間を含み、
前記第２のステップは、前記無線基地局装置との接続が未確立であるときに、その接続が未確立の無線リンク情報に応じた前記スリープ時間を設定し、前記第３のステップに移行する処理を行う
ことを特徴とする無線端末装置の制御方法。
【請求項１３】
無線基地局装置と接続可能な無線端末装置のアプリケーションの動作を制御する無線端末装置の制御プログラムにおいて、
前記無線基地局装置と接続中に、接続先無線基地局の識別情報を含む無線リンク情報を取得する第１のステップと、
前記接続先無線基地局の識別情報と起動するアプリケーションとを対応付けて登録している動作決定プロファイルを参照し、前記接続先無線基地局の識別情報に応じて起動するアプリケーションを選択する第２のステップと
を有することを特徴とする無線端末装置の制御プログラム。
【請求項１４】
請求項１３に記載の無線端末装置の制御プログラムにおいて、
前記第１のステップは、前記接続先無線基地局の識別情報および無線リンクの通信環境を含む無線リンク情報を取得する処理を行い、
前記第２のステップは、前記無線リンク情報と起動するアプリケーションおよび動作とを対応付けて登録している動作決定プロファイルを参照し、前記接続先無線基地局の識別情報に応じて起動するアプリケーションを選択し、前記無線リンクの通信環境に応じてアプリケーションの動作を制御する処理を行う
ことを特徴とする無線端末装置の制御プログラム。
【請求項１５】
請求項１３に記載の無線端末装置の制御プログラムにおいて、
前記無線端末装置は、無線ＬＡＮネットワークの無線基地局装置および携帯電話ネットワークの無線基地局装置と接続可能な構成であり、
前記第１のステップは、前記接続先無線基地局の識別情報と、無線ＬＡＮおよび携帯電話の各無線リンクの通信環境とを含む無線リンク情報を取得する処理を行い、
前記第２のステップは、前記無線リンク情報と起動するアプリケーションおよび動作とを対応付けて登録している動作決定プロファイルを参照し、前記接続先無線基地局の識別情報と無線ＬＡＮおよび携帯電話の各無線リンクの通信環境とに応じて起動するアプリケーションを選択し、無線ＬＡＮおよび携帯電話の各無線リンクの通信環境に応じてアプリケーションの動作を制御する処理を行う
ことを特徴とする無線端末装置の制御プログラム。
【請求項１６】
請求項１４または請求項１５に記載の無線端末装置の制御プログラムにおいて、
前記第１のステップは、前記無線リンクの通信環境として、受信レベル、物理伝送速度、パケットエラーレート、遅延時間、干渉量を含む無線リンクの通信品質に関する情報を取得する処理を行う
ことを特徴とする無線端末装置の制御プログラム。
【請求項１７】
請求項１３〜請求項１５のいずれかに記載の無線端末装置の制御プログラムにおいて、
前記無線端末装置は、装置の消費電力を抑制する省電力モードに設定し、所定のスリープ時間後に再起動する処理を行う第３のステップを有し、
前記動作決定プロファイルは、前記接続先無線基地局の識別情報と対応付けで登録される前記スリープ時間を含み、
前記第２のステップは、前記アプリケーションの動作終了後に、前記接続先無線基地局の識別情報に応じた前記スリープ時間を設定し、前記第３のステップに移行する処理を行う
ことを特徴とする無線端末装置の制御プログラム。
【請求項１８】
請求項１３〜請求項１５のいずれかに記載の無線端末装置の制御プログラムにおいて、
前記無線端末装置は、装置の消費電力を抑制する省電力モードに設定し、所定のスリープ時間後に再起動する処理を行う第３のステップを有し、
前記動作決定プロファイルは、前記無線基地局装置との接続が未確立であることを示す無線リンク情報に対応付けて登録される前記スリープ時間を含み、
前記第２のステップは、前記無線基地局装置との接続が未確立であるときに、その接続が未確立の無線リンク情報に応じた前記スリープ時間を設定し、前記第３のステップに移行する処理を行う
ことを特徴とする無線端末装置の制御プログラム。
【発明の詳細な説明】
【技術分野】
【０００１】
本発明は、無線基地局装置と無線端末装置との間の無線リンクの状況に応じて、起動するアプリケーションを選択し、またアプリケーションの動作を制御する無線端末装置、無線端末装置の制御方法および無線端末装置の制御プログラムに関する。
【背景技術】
【０００２】
無線システムでは、無線基地局装置（以下、ＡＰという）と無線端末装置（以下、ＳＴＡという）との間で、無線リンクの状況（例えば受信レベルや通信品質）に応じて通信速度を可変設定する機能がある。特に、無線ＬＡＮのような適応変調方式を採用した無線システムでは、無線リンクの状況に応じた変調方式を選択し、対応する通信速度の設定が可能になっている。【０００３】
ところで、そのような状況下で利用されるアプリケーションは、通信速度にかかわらず予め設定されたアプリケーションが起動し、同じ動作をするようになっているが、通信速度に応じてアプリケーションの動作を変更した方が効率的な場合がある。【０００４】
従来の無線システムにおいて、その無線リンクの状況に応じてＳＴＡ上のアプリケーションの動作を制御するものとして次のようなものがある。【０００５】
第１は、移動局であるＳＴＡにおいて、ＡＰからの受信レベルを監視し、その受信レベルが所定値以上のときにＡＰとＳＴＡとの距離が近く高速通信が期待できることから、ＡＰとの通信を行うアプリケーションを起動するものである（特許文献１）。このような起動制御により、ＳＴＡがＡＰのサービスエリアを通過する際に、当該アプリケーションを起動することによって通信完了前にサービスエリア外に移動して無線リンクが切断し、通信失敗となるような事態を回避することができる。【０００６】
第２は、ＳＴＡにおいて、ＡＰからの受信レベル、ＡＰとの間で送受信される情報量、当該ＡＰに収容されているＳＴＡ数などの無線リンクの状況に応じて、所定時間内で送受信可能か否かを判断してＡＰとの通信を行うアプリケーションを起動するものである（特許文献２）。
【特許文献１】特開２００３−２３５０７５号公報
【特許文献２】特開２００５−０５７４６４号公報
【発明の開示】
【発明が解決しようとする課題】
【０００７】
上記２つの従来技術は、無線リンクの状況に応じて送受信の可否を予測し、通信を行うアプリケーションを起動するか否かを制御するものであった。すなわち、無線ネットワークの種類や受信レベル等の通信環境を含む広範な無線リンクの状況に応じて、起動するアプリケーションを選択したり、アプリケーションの動作そのものを制御するものではなかった。一方、例えば公衆無線ＬＡＮの通信環境では自動的に認証アプリケーションを起動したり、メールソフトを起動する場合には、通信品質が悪く通信速度が低くなる環境ではメールヘッダのみを受信し、通信品質が良好で高速通信ができる場合にはメールの全部を受信するなどの切り替えができれば便利である。【０００８】
本発明は、ＡＰとＳＴＡとの間の無線リンクの状況に応じて、起動するアプリケーションを選択し、またアプリケーションの動作を制御することができるＳＴＡ、ＳＴＡ制御方法およびＳＴＡ制御プログラムを提供することを目的とする。
【課題を解決するための手段】
【０００９】
第１の発明は、ＡＰと接続可能なＳＴＡにおいて、ＡＰと接続中に、接続先ＡＰの識別情報を含む無線リンク情報を取得する無線リンク情報取得手段と、接続先ＡＰの識別情報と起動するアプリケーションとを対応付けて登録している動作決定プロファイルを参照し、接続先ＡＰの識別情報に応じて起動するアプリケーションを選択するアプリケーション動作制御手段とを備える。【００１０】
また、第１の発明において、無線リンク情報取得手段は、接続先ＡＰの識別情報および無線リンクの通信環境を含む無線リンク情報を取得する構成であり、アプリケーション動作制御手段は、無線リンク情報と起動するアプリケーションおよび動作とを対応付けて登録している動作決定プロファイルを参照し、接続先ＡＰの識別情報に応じて起動するアプリケーションを選択し、無線リンクの通信環境に応じてアプリケーションの動作を制御する構成である。【００１１】
また、第１の発明において、ＳＴＡは無線ＬＡＮネットワークのＡＰおよび携帯電話ネットワークの無線基地局と接続可能な構成であり、無線リンク情報取得手段は、接続先ＡＰの識別情報と、無線ＬＡＮおよび携帯電話の各無線リンクの通信環境とを含む無線リンク情報を取得する構成であり、アプリケーション動作制御手段は、無線リンク情報と起動するアプリケーションおよび動作とを対応付けて登録している動作決定プロファイルを参照し、接続先ＡＰおよびＢＳの識別情報と無線ＬＡＮおよび携帯電話の各無線リンクの通信環境とに応じて起動するアプリケーションを選択し、無線ＬＡＮおよび携帯電話の各無線リンクの通信環境に応じてアプリケーションの動作を制御する構成である。【００１２】
また、第１の発明において、無線リンク情報取得手段は、無線リンクの通信環境として、受信レベル、物理伝送速度、パケットエラーレート、遅延時間、干渉量を含む無線リンクの通信品質に関する情報を取得する構成である。【００１３】
また、第１の発明において、ＳＴＡは消費電力を抑制する省電力モードに設定し、所定のスリープ時間後に再起動する装置制御部を備え、動作決定プロファイルは、接続先ＡＰの識別情報と対応付けで登録されるスリープ時間を含み、アプリケーション動作制御手段は、アプリケーションの動作終了後に、接続先ＡＰの識別情報に応じたスリープ時間を装置制御部に設定し、省電力モードに移行させる構成である。【００１４】
また、第１の発明において、ＳＴＡは消費電力を抑制する省電力モードに設定し、所定のスリープ時間後に再起動する装置制御部を備え、動作決定プロファイルは、ＡＰとの接続が未確立であることを示す無線リンク情報に対応付けて登録されるスリープ時間を含み、アプリケーション動作制御手段は、ＡＰとの接続が未確立であるときに、その接続が未確立の無線リンク情報に応じたスリープ時間を装置制御部に設定し、省電力モードに移行させる構成である。【００１５】
第２の発明は、ＡＰと接続可能なＳＴＡのアプリケーションの動作を制御するＳＴＡの制御方法において、ＡＰと接続中に、接続先ＡＰの識別情報を含む無線リンク情報を取得する第１のステップと、接続先ＡＰの識別情報と起動するアプリケーションとを対応付けて登録している動作決定プロファイルを参照し、接続先ＡＰの識別情報に応じて起動するアプリケーションを選択する第２のステップとを有する。【００１６】
また、第２の発明において、第１のステップは、接続先ＡＰの識別情報および無線リンクの通信環境を含む無線リンク情報を取得する処理を行い、第２のステップは、無線リンク情報と起動するアプリケーションおよび動作とを対応付けて登録している動作決定プロファイルを参照し、接続先ＡＰの識別情報に応じて起動するアプリケーションを選択し、無線リンクの通信環境に応じてアプリケーションの動作を制御する処理を行う。【００１７】
また、第２の発明において、ＳＴＡは、無線ＬＡＮネットワークのＡＰおよび携帯電話ネットワークの無線基地局と接続可能な構成であり、第１のステップは、接続先ＡＰの識別情報と、無線ＬＡＮおよび携帯電話の各無線リンクの通信環境とを含む無線リンク情報を取得する処理を行い、第２のステップは、無線リンク情報と起動するアプリケーションおよび動作とを対応付けて登録している動作決定プロファイルを参照し、接続先ＡＰの識別情報と無線ＬＡＮおよび携帯電話の各無線リンクの通信環境とに応じて起動するアプリケーションを選択し、無線ＬＡＮおよび携帯電話の各無線リンクの通信環境に応じてアプリケーションの動作を制御する処理を行う。【００１８】
また、第２の発明において、第１のステップは、無線リンクの通信環境として、受信レベル、物理伝送速度、パケットエラーレート、遅延時間、干渉量を含む無線リンクの通信品質に関する情報を取得する処理を行う。【００１９】
また、第２の発明において、ＳＴＡは、装置の消費電力を抑制する省電力モードに設定し、所定のスリープ時間後に再起動する処理を行う第３のステップを有し、動作決定プロファイルは、接続先ＡＰの識別情報と対応付けで登録されるスリープ時間を含み、第２のステップは、アプリケーションの動作終了後に、接続先ＡＰの識別情報に応じたスリープ時間を設定し、第３のステップに移行する処理を行う。【００２０】
また、第２の発明において、ＳＴＡは、装置の消費電力を抑制する省電力モードに設定し、所定のスリープ時間後に再起動する処理を行う第３のステップを有し、動作決定プロファイルは、ＡＰとの接続が未確立であることを示す無線リンク情報に対応付けて登録されるスリープ時間を含み、第２のステップは、ＡＰとの接続が未確立であるときに、その接続が未確立の無線リンク情報に応じたスリープ時間を設定し、第３のステップに移行する処理を行う。【００２１】
第３の発明は、ＡＰと接続可能なＳＴＡのアプリケーションの動作を制御するＳＴＡの制御プログラムにおいて、ＡＰと接続中に、接続先ＡＰの識別情報を含む無線リンク情報を取得する第１のステップと、接続先ＡＰの識別情報と起動するアプリケーションとを対応付けて登録している動作決定プロファイルを参照し、接続先ＡＰの識別情報に応じて起動するアプリケーションを選択する第２のステップとを有する。【００２２】
また、第３の発明において、第１のステップは、接続先ＡＰの識別情報および無線リンクの通信環境を含む無線リンク情報を取得する処理を行い、第２のステップは、無線リンク情報と起動するアプリケーションおよび動作とを対応付けて登録している動作決定プロファイルを参照し、接続先ＡＰの識別情報に応じて起動するアプリケーションを選択し、無線リンクの通信環境に応じてアプリケーションの動作を制御する処理を行う。【００２３】
また、第３の発明において、ＳＴＡは、無線ＬＡＮネットワークのＡＰおよび携帯電話ネットワークの無線基地局と接続可能な構成であり、第１のステップは、接続先ＡＰの識別情報と、無線ＬＡＮおよび携帯電話の各無線リンクの通信環境とを含む無線リンク情報を取得する処理を行い、第２のステップは、無線リンク情報と起動するアプリケーションおよび動作とを対応付けて登録している動作決定プロファイルを参照し、接続先ＡＰの識別情報と無線ＬＡＮおよび携帯電話の各無線リンクの通信環境とに応じて起動するアプリケーションを選択し、無線ＬＡＮおよび携帯電話の各無線リンクの通信環境に応じてアプリケーションの動作を制御する処理を行う。【００２４】
また、第３の発明において、第１のステップは、無線リンクの通信環境として、受信レベル、物理伝送速度、パケットエラーレート、遅延時間、干渉量を含む無線リンクの通信品質に関する情報を取得する処理を行う。【００２５】
また、第３の発明において、ＳＴＡは、装置の消費電力を抑制する省電力モードに設定し、所定のスリープ時間後に再起動する処理を行う第３のステップを有し、動作決定プロファイルは、接続先ＡＰの識別情報と対応付けで登録されるスリープ時間を含み、第２のステップは、アプリケーションの動作終了後に、接続先ＡＰの識別情報に応じたスリープ時間を設定し、第３のステップに移行する処理を行う。【００２６】
また、第３の発明において、ＳＴＡは、装置の消費電力を抑制する省電力モードに設定し、所定のスリープ時間後に再起動する処理を行う第３のステップを有し、動作決定プロファイルは、ＡＰとの接続が未確立であることを示す無線リンク情報に対応付けて登録されるスリープ時間を含み、第２のステップは、ＡＰとの接続が未確立であるときに、その接続が未確立の無線リンク情報に応じたスリープ時間を設定し、第３のステップに移行する処理を行う。
【発明の効果】
【００２７】
本発明は、ＡＰと無線リンクを確立しているＳＴＡにおいて、接続先ＡＰの識別情報や無線リンクの通信環境を含む無線リンク情報に応じて、ＳＴＡ上で起動するアプリケーションや、アプリケーションの動作を適応的に変更して運用することができ、効率的な通信が可能となる。
【図面の簡単な説明】
【００２８】
【図１】本発明のＳＴＡを含む無線システムの実施例１の構成例を示す図である。
【図２】実施例１のアプリケーション動作制御部１３の処理手順を示すフローチャートである。
【図３】実施例１における動作決定プロファイルの第１例を示す図である。
【図４】実施例１における動作決定プロファイルの第２例を示す図である。
【図５】本発明のＳＴＡを含む無線システムの実施例２の構成例を示す図である。
【図６】実施例２における動作決定プロファイルの例を示す図である。
【図７】本発明のＳＴＡを含む無線システムの実施例３の構成例を示す図である。
【図８】実施例３における動作決定プロファイルの第１例を示す図である。
【図９】実施例３における動作決定プロファイルの第２例を示す図である。
【図１０】実施例３における動作決定プロファイルの第３例を示す図である。
【発明を実施するための最良の形態】
【００２９】
（実施例１）
図１は、本発明のＳＴＡを含む無線システムの実施例１の構成例を示す。
図において、ＳＴＡ１０は、ＡＰ２１を介して無線ＬＡＮネットワーク２２に接続され、さらに無線ＬＡＮネットワーク２２を介してＩＰネットワーク２３に接続される。ＳＴＡ１０は、無線ＬＡＮインタフェース１１、無線リンク情報取得部１２およびアプリケーション動作制御部１３を備える。【００３０】
無線ＬＡＮインタフェース１１は、ＡＰ２１との間で無線リンクを確立して無線パケットを送受信し、ＡＰの識別情報や受信レベル等の無線リンク情報を保持する。無線リンク情報取得部１２は、無線ＬＡＮインタフェース１１が保持する無線リンク情報を取得してアプリケーション動作制御部１３へ渡す。アプリケーション動作制御部１３は、無線リンク情報と起動するアプリケーションおよび動作を対応付けて登録してある動作決定プロファイルと、起動するアプリケーションとその動作を指示する設定ファイルを有する。【００３１】
図２は、実施例１のアプリケーション動作制御部１３の処理手順を示す。アプリケーション動作制御部１３は、図２に示すように、無線リンク情報取得部１２から無線リンク情報を入力し（Ｓ１）、無線リンク情報と動作決定プロファイルに従って設定ファイルの内容を変更し（Ｓ２）、設定ファイルに従って起動するアプリケーションおよびアプリケーションの動作を制御する（Ｓ３）。なお、設定ファイルの内容を変更する処理は、設定ファイルを編集する処理でもよいし、また動作決定プロファイルの各パターンを有する設定ファイルを用意しておき無線リンク情報に応じた設定ファイルを選択する処理でもよい。【００３２】
このように、アプリケーション動作制御部１３では、無線リンク情報に応じて動的に設定ファイルを変更し、起動するアプリケーションおよびアプリケーションの動作を制御する。設定ファイルによっては、起動するアプリケーションの実行ファイル名とオプションとその引数を指定する。また、各種アプリケーションの起動と終了を行うアプリケーションを動作させ、それに対応する設定ファイルの内容を変更することにより、各種アプリケーションの起動順序と起動間隔（例えば秒単位）、および終了時の処理（例えばタスクの終了、またはタスクの常駐）を指定するようにしてもよい。【００３３】
図３は、実施例１における動作決定プロファイルの第１例を示す。ここでは、無線リンク情報としてＡＰ２１に予め付与されているＳＳＩＤ(Service Set Identifier)を用いる例を示す。ＳＳＩＤは、ＡＰが報知するビーコン、または各ＳＴＡからのプローブ要求に対するＡＰのプローブ応答に含まれるＡＰ固有の識別情報である。【００３４】
動作決定プロファイルは、ＳＳＩＤごとに起動するアプリケーションのリストを保持する。ＳＳＩＤの種類は、公衆無線ＬＡＮのＡＰ、オフィスの無線ＬＡＮのＡＰ、家の無線ＬＡＮのＡＰを想定する。起動するアプリケーションは、公衆無線ＬＡＮサービスにアクセスする際に用いる認証ソフト、オフィスの内線ＩＰ電話に接続するＶｏＩＰ（Voice over Internet Protocol）クライアントソフト、メールソフト、ＩＭ（Instant Message ）ソフトを想定する。【００３５】
ＳＴＡは、無線リンク情報としてＳＳＩＤを取得すると、図３の動作決定プロファイルを参照してＳＳＩＤに対応して起動するアプリケーションを決定する。例えば、ＳＳＩＤが公衆無線ＬＡＮのＡＰであれば認証ソフトおよびメールソフトを起動し、オフィスの無線ＬＡＮのＡＰであればＶｏＩＰクライアントソフトおよびメールソフトを起動し、家の無線ＬＡＮのＡＰであればメールソフトおよびＩＭソフトを起動することを決定し、設定ファイルの内容を変更する。なお、各無線ＬＡＮのＳＳＩＤに応じて起動されるメールソフトは、各無線ＬＡＮに対応する設定がなされたものが選択される。【００３６】
これにより、ＳＴＡの接続先ＡＰに応じて自動的に起動するアプリケーションを選択し、それぞれ対応する動作をさせることができる。なお、本例に示すアプリケーションの種類は一例であり、ＳＴＡの接続先ＡＰに応じたアプリケーションに対する起動制御を行うことが可能である。【００３７】
図４は、実施例１における動作決定プロファイルの第２例を示す。ここでは、無線リンク情報として図３に示す第１例のＳＳＩＤと、無線ＬＡＮの通信環境情報を用いる例を示す。通信環境情報は、受信レベル（例えばＲＳＳＩ(Receive Signal Strength Indication)）、物理伝送速度（例えばＰＨＹ(Physical)レート）、パケットエラーレート、遅延時間、干渉量などの無線リンクの通信品質に関する情報である。【００３８】
動作決定プロファイルは、ＳＳＩＤごとに起動するアプリケーションのリストと、通信環境情報ごとに各アプリケーションの動作内容を保持する。通信環境情報として、通信環境が良好（図中に○で示す）と、通信環境がやや不良（図中に△で示す）を想定する。アプリケーションの動作内容として、メールソフトの場合にはメールの送受信動作と、メールのヘッダのみの取得動作を想定する。【００３９】
ＳＴＡは、無線リンク情報としてＳＳＩＤと通信環境情報を取得すると、図４の動作決定プロファイルを参照してＳＳＩＤに対応して起動するアプリケーションを決定し、通信環境情報に応じてそのアプリケーションの動作内容を決定する。例えば、ＳＳＩＤが公衆無線ＬＡＮのＡＰであれば認証ソフトおよびメールソフトを起動し、さらに通信環境が良好の場合にはメールソフトでメールの送受信を行うように決定し、通信環境がやや不良の場合にはメールソフトでメールのヘッダのみを取得するように決定し、設定ファイル内容を変更する。なお、認証ソフトは、通信環境に関わりなく認証処理を行うように設定される。【００４０】
また、ＳＳＩＤがオフィスの無線ＬＡＮのＡＰであればＶｏＩＰクライアントソフトおよびメールソフトを起動し、通信環境の良否に応じてメールソフトでメールを送受信するかメールヘッダのみを取得するか決定し、設定ファイル内容を変更する。なお、ＶｏＩＰクライアントソフトは、通信品質に関わりなく待ちうけ処理を行うように設定される。【００４１】
また、ＳＳＩＤが家の無線ＬＡＮのＡＰであればメールソフトおよびＩＭソフトを起動し、無線ＬＡＮの通信環境はほぼ一定なので通信環境に関わりなく、メールの送受信および待ちうけ処理を行うように決定し、設定ファイルの内容を変更する。【００４２】
これにより、ＳＴＡの接続先ＡＰと通信環境に応じて自動的に起動するアプリケーションとその動作内容を選択し、それぞれ対応する動作をさせることができる。なお、本例に示すアプリケーションの種類および動作内容は一例であり、ＳＴＡの接続先ＡＰおよび通信環境に応じたアプリケーションに対する起動制御および動作制御を行うことが可能である。【００４３】
（実施例２）
図５は、本発明のＳＴＡを含む無線システムの実施例２の構成例を示す。
図において、ＳＴＡ１０は、ＡＰ２１を介して無線ＬＡＮネットワーク２２に接続され、また携帯電話基地局装置２４を介して携帯電話ネットワーク２５に接続され、さらに無線ＬＡＮネットワーク２２および携帯電話ネットワーク２５を介してＩＰネットワーク２３に接続される。ＳＴＡ１０は、無線ＬＡＮインタフェース１１、無線ＬＡＮの無線リンク情報取得部１２、携帯電話インタフェース１４、携帯電話の無線リンク情報取得部１５およびアプリケーション動作制御部１３を備える。なお、本実施形態では、ＳＴＡが無線ＬＡＮネットワーク２２および携帯電話ネットワーク２５の各ＡＰに接続される場合を想定しているが、例えば携帯電話ネットワーク２５に代えてＷｉＭＡＸやＰＨＳなど他の高速無線ネットワークであってもよい。【００４４】
無線ＬＡＮインタフェース１１は、ＡＰ２１との間で無線リンクを確立して無線パケットを送受信し、ＡＰ情報（ＳＳＩＤ）や受信レベル等の無線リンク情報を保持する。無線リンク情報取得部１２は、無線ＬＡＮインタフェース１１が保持する無線リンク情報を取得してアプリケーション動作制御部１３へ渡す。携帯電話インタフェース１４は、携帯電話基地局装置２４との間で無線リンクを確立し、基地局情報や受信レベル等の無線リンク情報を保持する。無線リンク情報取得部１５は、携帯電話インタフェース１４が保持する無線リンク情報を取得してアプリケーション動作制御部１３へ渡す。アプリケーション動作制御部１３は、無線リンク情報とアプリケーションの種類および動作を対応付けて登録してある動作決定プロファイルと、起動するアプリケーションとその動作を指示する設定ファイルを有する。アプリケーション動作制御部１３の処理手順は図２に示す例と同様である。【００４５】
図６は、実施例２における動作決定プロファイルの例を示す。ここでは、無線リンク情報として図４に示す実施例１の第２例のＳＳＩＤおよび無線ＬＡＮの通信環境情報に加えて、携帯電話の通信環境情報を用いる例を示す。携帯電話の通信環境情報は、無線ＬＡＮの通信環境情報と同様に無線リンクの通信品質に関する情報である。【００４６】
動作決定プロファイルは、ＳＳＩＤごとに起動するアプリケーションのリストと、無線ＬＡＮおよび携帯電話の通信環境情報ごとに各アプリケーションの動作内容を保持する。通信環境情報として、通信環境が良好（図中に○で示す）と、通信環境がやや不良（図中に△で示す）を想定する。アプリケーションの動作内容として、メールソフトの場合にはメールの送受信動作と、メールのヘッダのみの取得動作を想定する。【００４７】
ＳＴＡは、無線リンク情報としてＳＳＩＤと通信環境情報を取得すると、図６の動作決定プロファイルを参照し、ＳＳＩＤと通信環境情報に対応して起動するアプリケーションを決定し、さらに通信環境情報に応じてそのアプリケーションの動作内容を決定する。例えば、ＳＳＩＤが公衆無線ＬＡＮのＡＰで、無線ＬＡＮおよび携帯電話の通信環境がともに良好であれば、認証ソフトおよびメールソフトを起動し、さらにメールソフトでメールの送受信を行うように決定し、設定ファイルの内容を変更する。また、ＳＳＩＤが公衆無線ＬＡＮのＡＰで、無線ＬＡＮの通信環境が良好で携帯電話の通信環境がやや不良であれば、認証ソフト、メールソフトおよびＶｏＩＰクライアントソフトを起動し、さらにメールソフトでメールの送受信を行い、ＶｏＩＰクライアントソフトで待ちうけ処理を行うように決定し、設定ファイルの内容を変更する。なお、この２つのケースの違いは、携帯電話の通信環境の良否に応じてＶｏＩＰクライアントソフトを起動するか否かにあるが、無線ＬＡＮの通信環境が良好で携帯電話の通信環境がやや不良であればＶｏＩＰクライアントソフトを起動してＩＰ電話を優先するようにしている。【００４８】
また、ＳＳＩＤが公衆無線ＬＡＮのＡＰで、無線ＬＡＮの通信環境がやや不良で携帯電話の通信環境が良好であれば、メールソフトのみを起動し、かつメールのヘッダのみを取得するように決定し、設定ファイル内容を変更する。また、無線ＬＡＮのＳＳＩＤがみつからないときで、携帯電話の通信環境が良好であれば本動作を行ってもよい。また、ＳＳＩＤが公衆無線ＬＡＮのＡＰで、無線ＬＡＮおよび携帯電話の通信環境がともにやや不良であれば、いずれのアプリケーションも起動しないように決定し、設定ファイル内容を変更する。【００４９】
また、ＳＳＩＤがオフィスの無線ＬＡＮのＡＰで、無線ＬＡＮおよび携帯電話の通信環境がともに良好であれば、メールソフトを起動し、かつメールを送受信するように決定し、設定ファイル内容を変更する。また、ＳＳＩＤがオフィスの無線ＬＡＮのＡＰで、無線ＬＡＮの通信環境が良好で携帯電話の通信環境がやや不良であれば、メールソフトおよびＶｏＩＰクライアントソフトを起動し、さらにメールソフトでメールの送受信を行い、ＶｏＩＰクライアントソフトで待ちうけ処理を行うように決定し、設定ファイルの内容を変更する。この違いは、公衆無線ＬＡＮに接続した場合と同様である。【００５０】
また、ＳＳＩＤがオフィスの無線ＬＡＮのＡＰで、無線ＬＡＮの通信環境がやや不良で携帯電話の通信環境が良好であれば、メールソフトのみを起動し、かつメールのヘッダのみを取得するように決定し、設定ファイル内容を変更する。また、無線ＬＡＮのＳＳＩＤがみつからないときで、携帯電話の通信環境が良好であれば本動作を行ってもよい。また、ＳＳＩＤがオフィスの無線ＬＡＮのＡＰで、無線ＬＡＮおよび携帯電話の通信環境がともにやや不良であれば、メールソフトおよびＶｏＩＰクライアントソフトを起動し、さらにメールソフトでメールヘッダのみを取得し、ＶｏＩＰクライアントソフトで待ちうけ処理を行うように決定し、設定ファイルの内容を変更する。このＶｏＩＰクライアントソフトにおける起動の違いは、公衆無線ＬＡＮに接続した場合と同様である。【００５１】
これにより、ＳＴＡの接続先ＡＰと通信環境に応じて自動的に起動するアプリケーションとその動作内容を選択し、それぞれ対応する動作をさせることができる。なお、本例に示すアプリケーションの種類および動作内容は一例であり、ＳＴＡの接続先ＡＰおよび通信環境に応じたアプリケーションに対する起動制御および動作制御を行うことが可能である。【００５２】
（実施例３）
図７は、本発明のＳＴＡを含む無線システムの実施例３の構成例を示す。
本実施例は、図１〜図４に示す実施例１のＳＴＡに適用したものであるが、同様に図５〜図６に示す実施例２のＳＴＡにも適用することができる。【００５３】
図７において、ＳＴＡ１０の装置制御部１６は、無線ＬＡＮインタフェース１１、無線リンク情報取得部１２およびアプリケーション動作制御部１３を含むＳＴＡ各部に対して、消費電力を抑制する省電力モードに設定し、所定のスリープ時間後に再起動する制御を行う。なお、省電力モードとは、例えばＳＴＡ１０が揮発性メモリに記憶された情報の保持や、実施例２のように携帯電話インタフェースを実装している場合に着呼対応の処理のみを行い、不要なプロセスを休止することで消費電力を抑制する状態である。ここでは、装置制御部１６とアプリケーション動作制御部１３を互いに独立な機能として示したが、装置制御部１６の機能をアプリケーション動作制御部１３の一機能として実装してもよい。【００５４】
本実施例のアプリケーション動作制御部１３は、無線リンク情報取得部１２を介して無線ＬＡＮインタフェース１１が保持する無線リンク情報を取得するが、無線ＬＡＮインタフェース１１がＡＰ２１との間で無線リンクを確立していない場合は、無線リンク情報として「接続未確立」を取得するものとする。アプリケーション動作制御部１３は、この「接続未確立」を含む無線リンク情報と起動するアプリケーションおよび動作を対応付けて登録してある動作決定プロファイルと、起動するアプリケーションとその動作を指示する設定ファイルを有する。アプリケーション動作制御部１３の処理手順は、図２に示す実施例１のものと同様である。【００５５】
図８〜図１０は、実施例３における動作決定プロファイルの例を示す。
図８に示す動作決定プロファイルは、図３に示す実施例１における動作決定プロファイルの第１例と同様に、無線ＬＡＮのＳＳＩＤごとに起動するアプリケーションのリストを保持し、無線ＬＡＮのＳＳＩＤに応じた各アプリケーションの動作終了後に、省電力モードに設定して再起動するまでのスリープ時間Ｔ１〜Ｔ３を保持する。さらに、図９に示す動作決定プロファイルは、無線ＬＡＮのＳＳＩＤに応じた各アプリケーションの動作終了後および「接続未確立」のときに、省電力モードに設定して再起動するまでのスリープ時間Ｔ１〜Ｔ４を保持する。【００５６】
また、図１０に示す動作決定プロファイルは、図４に示す実施例１における動作決定プロファイルの第２例に対応し、無線ＬＡＮのＳＳＩＤに応じた各アプリケーションの動作終了後および「接続未確立」のときに、省電力モードに設定して再起動するまでのスリープ時間Ｔ１〜Ｔ４を保持する。【００５７】
ＳＴＡのアプリケーション動作制御部１３は、ＡＰのＳＳＩＤまたは「接続未確立」の無線リンク情報を取得すると、例えば図９の動作決定プロファイルを参照してＳＳＩＤに対応して起動するアプリケーションを決定し、さらに各アプリケーションの動作終了後または「接続未確立」でアプリケーションを起動しないときのスリープ時間を決定し、設定ファイルの内容を変更する。例えば、アプリケーション動作制御部１３が取得したＳＳＩＤが公衆無線ＬＡＮのＡＰであれば認証ソフトおよびメールソフトを起動し、そのアプリケーションの動作終了後に装置制御部１６に対してスリープ時間Ｔ１を設定し省電力モードに移行する。装置制御部１６は、設定されたスリープ時間Ｔ１の経過後に当該アプリケーションを再起動する。また、ＳＴＡがＡＰと接続していない場合は、アプリケーション動作制御部１３は「接続未確立」の無線リンク情報に応じて、スリープ時間Ｔ４を設定し省電力モードに移行する。装置制御部１６は、設定されたスリープ時間Ｔ４の経過後にＳＴＡ各部を再起動し、アプリケーション動作制御部１３はそのとき取得した無線リンク情報に対応する処理を行う。【００５８】
なお、本実施例の装置制御部１６は、スリープ時間Ｔ１〜Ｔ４の値を記録しタイマーによる起動管理を行っているが、現在時刻を元に次回起動時刻を算出し、該当時刻に再起動する処理としてもよい。【００５９】
これにより、ＳＴＡの接続先ＡＰに応じて自動的に起動するアプリケーションを選択し、それぞれ対応する動作をさせることができるとともに、動作終了後またはＡＰと未設続のときのスリープ制御が可能になる。なお、本例に示すアプリケーションの種類は一例であり、ＳＴＡの接続先ＡＰに応じたアプリケーションに対する起動制御を行うことが可能である。【００６０】
（実施例４）
以上説明したＳＴＡ１０の制御処理は、図１，図５，図７に示したＳＴＡ１０内の各ハードウェアにより実現できる他、これら制御処理を構成する各ステップをプログラムとして予めＲＯＭなどに格納しておき、これをコンピュータであるＣＰＵにより読み取らせて実行させるように構成することができる。
【図１】
2009128184.tif 000003
【図２】
2009128184.tif 000004
【図３】
2009128184.tif 000005
【図４】
2009128184.tif 000006
【図５】
2009128184.tif 000007
【図６】
2009128184.tif 000008
【図７】
2009128184.tif 000009
【図８】
2009128184.tif 000010
【図９】
2009128184.tif 000011
【図１０】
2009128184.tif 000012
【国際調査報告】
2009128184.tif 000013
2009128184.tif 000014
2009128184.tif 000015
2009128184.tif 000016